(57)【要約】【課題】十分広い温度範囲において平滑な温度特性を得ることができる基準電圧発生回路における基準電圧の調整方法を提供する。【解決手段】  ピーク電圧ＶＰ１〜ＶＰ４となる温度が異なる４種類の基準出力電圧ＶＲＥＦ−１〜ＶＲＥＦ−４を有する場合において、最も低い温度であるピーク電圧ＶＰ１の基準出力電圧ＶＲＥＦ−１と、最も高い温度である電圧ＶＰ４の基準出力電圧ＶＲＥＦ−４との特性曲線が２５℃で交点番号１の交点Ｉ１を持つように基準出力電圧ＶＲＥＦ−１、ＶＲＥＦ−４を調整し、次に特性番号１に１を加算した特性番号２の基準出力電圧ＶＲＥＦ−２と、特性番号４から１を減じた特性番号３の基準出力電圧ＶＲＥＦ−３とを組み合わせ、交点１を含むとともに基準電圧基準出力電圧ＶＲＥＦ−１、ＶＲＥＦ−１よりも高い電圧領域で交点２を持つように各基準出力電圧ＶＲＥＦ−２、ＶＲＥＦ−３を調整する。【選択図】  図３
2017091296.tif 000002
【特許請求の範囲】
【請求項１】
環境温度に対する出力電圧特性を表す温度特性が異なる複数の基準電圧源を組み合わせて形成した基準電圧発生回路における基準電圧の調整方法であって、
前記各基準電圧源が生成するピーク電圧となる温度がそれぞれ異なる固有の温度特性のうち、前記ピーク電圧が最も低い温度の温度特性または高い温度の温度特性から前記ピーク電圧を与える温度に沿って１から順に特性番号を付与し、
最大の特性番号が４以上の偶数の場合は、
最小の特性番号１を一方側の開始番号とした場合の特性番号１の温度特性と、最大の特性番号２ｎ（ｎ≧２の自然数）を他方側の開始番号とした場合の特性番号２ｎの温度特性とを組み合わせて所定の温度で交点番号１の交点を持つように各温度特性を調整し、
同様に、前記一方側における直近の特性番号に１を加算した特性番号の温度特性と、前記他方側における直近の特性番号から１を減じた特性番号の温度特性とを組み合わせ、直近の交点番号の交点を含むとともに前記一方側における前記直近の特性番号に対応する温度特性における出力電圧および前記他方側における前記直近の特性番号に対応する温度特性における出力電圧よりも高い電圧領域で交点を持つように各温度特性を調整して前記直近の交点番号に１を加算した交点番号の交点を持つ前記温度特性のｎ組の組み合わせを順次形成することを特徴とする基準電圧発生回路における基準電圧の調整方法。
【請求項２】
環境温度に対する出力電圧特性を表す温度特性が異なる複数の基準電圧源を組み合わせて形成した基準電圧発生回路における基準電圧の調整方法であって、
前記各基準電圧源が生成するピーク電圧となる温度がそれぞれ異なる固有の温度特性のうち、前記ピーク電圧が最も低い温度の温度特性または高い温度の温度特性から前記ピーク電圧を与える温度に沿って１から順に特性番号を付与し、
最大の特性番号が奇数である３の場合は、
最小の特性番号１を一方側の開始番号とした場合の特性番号１の温度特性と、最大の特性番号３を他方側の開始番号とした場合の特性番号３の温度特性とを組み合わせて所定の温度で交点番号１の交点を持つように各温度特性を調整し、
さらに前記組み合わせから外れた特性番号２の温度特性に関してはそのピーク電圧が、直近の交点番号１の交点を含み、かつ前記一方側の直近の特性番号１の温度特性の出力電圧および前記他方側における直近の特性番号３の温度特性の出力電圧よりも大きい電圧領域にピーク電圧が存在するように調整したことを特徴とする基準電圧発生回路における基準電圧の調整方法。
【請求項３】
環境温度に対する出力電圧特性を表す温度特性が異なる複数の基準電圧源を組み合わせて形成した基準電圧発生回路における基準電圧の調整方法であって、
前記各基準電圧源が生成するピーク電圧となる温度がそれぞれ異なる固有の温度特性のうち、前記ピーク電圧が最も低い温度の温度特性または高い温度の温度特性から前記ピーク電圧を与える温度に沿って１から順に特性番号を付与し、
最大の特性番号が５以上の奇数の場合は、
最小の特性番号１を一方側の開始番号とした場合の特性番号１の温度特性と、最大の特性番号（２ｎ＋１）（ｎ≧２の自然数）を他方側の開始番号とした場合の特性番号（２ｎ＋１）の温度特性とを組み合わせて所定の温度で交点番号１の交点を持つように各温度特性を調整し、
同様に、前記一方側における直近の特性番号に１を加算した特性番号の温度特性と、前記他方側における直近の特性番号から１を減じた特性番号の温度特性とを組み合わせ、直近の交点番号の交点を含むとともに前記一方側における前記直近の特性番号に対応する温度特性における出力電圧および前記他方側における前記直近の特性番号に対応する温度特性における出力電圧よりも高い電圧領域で交点を持つように各温度特性を調整して前記直近の交点番号に１を加算した交点番号の交点を持つ前記温度特性のｎ組の組み合わせを順次形成し、
さらに前記ｎ組の組み合わせから外れた特性番号の温度特性に関してはそのピーク電圧が、直近の交点番号の交点を含み、かつ前記一方側および前記他方側における直近の特性番号の温度特性の出力電圧よりも大きい電圧領域にピーク電圧が存在するように調整したことを特徴とする基準電圧発生回路における基準電圧の調整方法。
【請求項４】
請求項１〜請求項３のいずれか一つに記載する基準電圧発生回路における基準電圧の調整方法において、
前記各組の交点は、各交点番号に対応するすべての交点において一定温度としたことを特徴とする基準電圧発生回路における温度特性の調整方法。
【請求項５】
請求項１〜請求項４のいずれか一つに記載する基準電圧発生回路における基準電圧の調整方法おいて、
各ピーク電圧は所定電圧に揃えてあることを特徴とする基準電圧発生回路における温度特性の調整方法。
【請求項６】
環境温度に対する出力電圧特性を表す温度特性が異なる複数の基準電圧源を組み合わせて形成した基準電圧発生回路であって、
前記各基準電圧源は、基準電圧生成部と、増幅回路、出力トランジスタ、電圧調整部、出力端子、およびスイッチ手段をそれぞれ有しており、
さらに前記基準電圧生成部は、ピーク電圧となる温度が異なる固有の温度特性を有するとともに請求項１~請求項５のいずれか一つに記載する基準電圧の調整方法により調整された所定の基準電圧を生成し、
前記増幅回路は、前記基準電圧と、前記電圧調整部からフィードバックされるフィードバック電圧とを比較して両者が一致するように前記出力トランジスタを制御し、
前記出力トランジスタは、前記出力端子に接続されて前記出力端子に生成される出力電圧を制御し、
前記電圧調整部は、前記出力端子に接続され、前記出力電圧が所定の基準出力電圧になるように調整可能に形成されるとともに、当該電圧調整部で検出される電圧を前記フィードバック電圧とし、
前記出力端子は、纏めて一本の共通出力端子に接続され、各基準出力電圧のうちの最大電圧である最大基準出力電圧が前記共通出力端子に得られるように構成するとともに、
前記スイッチ手段は、電源と前記出力端子との間に、前記出力トランジスタに対して直列に接続されていることを特徴とする基準電圧発生回路。
【請求項７】
請求項６に記載する基準電圧発生回路において、
前記基準電圧生成部は、定電流生成部と定電圧生成部とを有しており、
前記定電流生成部は、飽和結線された第１のＭＯＳトランジスタとゲートとソースが接続されたディプレッション型の第２のＭＯＳトランジスタとを直列に接続して形成し、
前記定電圧生成部は、前記第１のＭＯＳトランジスタとミラー接続した第３のＭＯＳトランジスタと、前記増幅回路を兼用する第４のＭＯＳトランジスタとを直列に接続して前記第４のＭＯＳトランジスタのゲート・ソース間電圧で前記基準電圧を生成する一方、第５のＭＯＳトランジスタで形成した前記出力トランジスタは、前記定電圧生成部に対してソースフォロアとなるよう前記第３のＭＯＳトランジスタと前記第４のＭＯＳトランジスタとの間にそのゲートが接続され、
前記電圧調整部は、前記第４のＭＯＳトランジスタのゲートに前記フィードバック電圧を供給するように構成したことを特徴とする基準電圧発生回路。
前記スイッチ手段は、ゲートに印加される電圧によりオン・オフされる第６のＭＯＳトランジスタで形成したことを特徴とする基準電圧発生回路。
【請求項８】
請求項７に記載する基準電圧発生回路において、
前記定電流生成部は、その第１のＭＯＳトランジスタを、前記定電圧生成部の第３のＭＯＳトランジスタにそれぞれ共通にミラー接続することにより各定電圧生成部に共通に形成したものであることを特徴とする基準電圧発生回路。
【請求項９】
請求項７または請求項８に記載する基準電圧発生回路において、
前記電圧調整部は、一端が前記出力トランジスタおよび前記出力端子にそれぞれ接続されるとともに、複数の抵抗素子を直列に接続して構成するとともに、前記出力端子にそれぞれ基準出力電圧が生成されるように調整した状態で前記抵抗素子の分割比で規定される前記フィードバック電圧を第４のＭＯＳトランジスタのゲートにそれぞれ供給するように構成することにより各定電圧生成部および各出力トラジスタに共通に形成したものであることを特徴とする基準電圧発生回路。
【発明の詳細な説明】
【技術分野】
【０００１】
本発明は基準電圧発生回路における基準電圧の調整方法および基準電圧発生回路に関し、特に広い温度範囲において使用される半導体製品を駆動する電圧源に適用して有用なものである。
【背景技術】
【０００２】
近年、半導体製品に要求される使用温度範囲（例えば、−５０℃〜１５０℃）は拡大の傾向にあり、常温時を２５℃として基準出力電圧を調整している従来技術に係る基準電圧発生回路では、広範な温度範囲で所定の基準出力電圧を高精度かつ安定的に得ることができないという問題を生起している。特に、電源用半導体製品の基準出力電圧には広範な温度範囲において平坦な温度特性が求められるのに対し、レギュレータ、スイッチング電源等は、発熱等でＩＣ内の温度が高温になる。この結果、従来技術に係る基準電圧発生回路では負荷安定度が悪化するという問題を生起している。
【０００３】
なお、特許文献１〜特許文献３には平坦な温度特性となるように工夫した基準電圧発生回路が提案されている。
【先行技術文献】
【特許文献】
【０００４】
【特許文献１】特開２０１３−１６１２５８号公報
【特許文献２】特開２０１４−１８６７１４号公報
【特許文献３】特開２００８−２９３４０９号公報
【発明の概要】
【発明が解決しようとする課題】
【０００５】
ところで、上記特許文献１は、最低動作電圧が小さく、小電力を出力するとともに、フラットな温度特性を任意に得ることを目的とするものであるが、基本的に一個の基準電圧源により所定範囲のフラットな温度特性を得るようにしたものであるため、例えば−５０℃〜１５０℃程度の広い温度範囲の温度特性をフラットにする用途に供するには十分ではない。
【０００６】
特許文献２は、製造工程にバラツキがあっても平坦な温度特性を得ることができるように工夫したものである。ところが、特許文献２に開示する基準電圧発生回路は、単位基準電圧発生回路を複数個並列に形成し、その後複数の単位基準電圧発生回路中、最も温度特性が平坦なものを選択するというものであるため、残りの単位基準電圧発生回路は廃棄せざるを得ず、歩留まりの悪化を招来するばかりでなく、温度特性に関しては本質的に一個の基準電圧源で形成した場合と変わるところはなく、広範囲の温度特性の十分な平滑化を実現し得るものではない。
【０００７】
特許文献３は、プロセス変動、温度変動および電源電圧変動による基準電圧のバラツキを低減させるように工夫したものである。しかしながら、特許文献３も特許文献１と同様に、一個の基準電圧源により所定範囲のフラットな温度特性を得るようにしたものであるため、広い温度範囲の温度特性をフラットにする用途に供するには十分ではない。
【０００８】
本発明は、上記従来技術に鑑み、十分広い温度範囲において平滑な温度特性を得ることができる基準電圧発生回路における基準電圧の調整方法および基準電圧発生回路を提供することを目的とする。
【課題を解決するための手段】
【０００９】
上記目的を達成する本発明の第１の態様は、
環境温度に対する出力電圧特性を表す温度特性が異なる複数の基準電圧源を組み合わせて形成した基準電圧発生回路における基準電圧の調整方法であって、
前記各基準電圧源が生成するピーク電圧となる温度がそれぞれ異なる固有の温度特性のうち、前記ピーク電圧が最も低い温度の温度特性または高い温度の温度特性から前記ピーク電圧を与える温度に沿って１から順に特性番号を付与し、
最大の特性番号が４以上の偶数の場合は、
最小の特性番号１を一方側の開始番号とした場合の特性番号１の温度特性と、最大の特性番号２ｎ（ｎ≧２の自然数）を他方側の開始番号とした場合の特性番号２ｎの温度特性とを組み合わせて所定の温度で交点番号１の交点を持つように各温度特性を調整し、
同様に、前記一方側における直近の特性番号に１を加算した特性番号の温度特性と、前記他方側における直近の特性番号から１を減じた特性番号の温度特性とを組み合わせ、直近の交点番号の交点を含むとともに前記一方側における前記直近の特性番号に対応する温度特性における出力電圧および前記他方側における前記直近の特性番号に対応する温度特性における出力電圧よりも高い電圧領域で交点を持つように各温度特性を調整して前記直近の交点番号に１を加算した交点番号の交点を持つ前記温度特性のｎ組の組み合わせを順次形成することを特徴とする基準電圧発生回路における基準電圧の調整方法にある。
【００１０】
本態様によれば、組み合わされた複数種類の温度特性が４以上の偶数組の場合において、環境温度に対する最大出力電圧を与える点を辿ることにより、ほぼ平坦な出力電圧を得ることができる。すなわち、広い温度範囲においてへ平坦な基準電圧を得ることができる。
【００１１】
本発明の第２の態様は、
環境温度に対する出力電圧特性を表す温度特性が異なる複数の基準電圧源を組み合わせて形成した基準電圧発生回路における基準電圧の調整方法であって、
前記各基準電圧源が生成するピーク電圧となる温度がそれぞれ異なる固有の温度特性のうち、前記ピーク電圧が最も低い温度の温度特性または高い温度の温度特性から前記ピーク電圧を与える温度に沿って１から順に特性番号を付与し、
最大の特性番号が奇数である３の場合は、
最小の特性番号１を一方側の開始番号とした場合の特性番号１の温度特性と、最大の特性番号３を他方側の開始番号とした場合の特性番号３の温度特性とを組み合わせて所定の温度で交点番号１の交点を持つように各温度特性を調整し、
さらに前記組み合わせから外れた特性番号２の温度特性に関してはそのピーク電圧が、直近の交点番号１の交点を含み、かつ前記一方側の直近の特性番号１の温度特性の出力電圧および前記他方側における直近の特性番号３の温度特性の出力電圧よりも大きい電圧領域にピーク電圧が存在するように調整したことを特徴とする基準電圧発生回路における基準電圧の調整方法にある。
【００１２】
本態様によれば、組み合わされた複数種類の温度特性が奇数である３組の場合において、第１の態様と同様の作用・効果を発揮させることができる。
【００１３】
本発明の第３の態様は、
環境温度に対する出力電圧特性を表す温度特性が異なる複数の基準電圧源を組み合わせて形成した基準電圧発生回路における基準電圧の調整方法であって、
前記各基準電圧源が生成するピーク電圧となる温度がそれぞれ異なる固有の温度特性のうち、前記ピーク電圧が最も低い温度の温度特性または高い温度の温度特性から前記ピーク電圧を与える温度に沿って１から順に特性番号を付与し、
最大の特性番号が５以上の奇数の場合は、
最小の特性番号１を一方側の開始番号とした場合の特性番号１の温度特性と、最大の特性番号（２ｎ＋１）（ｎ≧２の自然数）を他方側の開始番号とした場合の特性番号（２ｎ＋１）の温度特性とを組み合わせて所定の温度で交点番号１の交点を持つように各温度特性を調整し、
同様に、前記一方側における直近の特性番号に１を加算した特性番号の温度特性と、前記他方側における直近の特性番号から１を減じた特性番号の温度特性とを組み合わせ、直近の交点番号の交点を含むとともに前記一方側における前記直近の特性番号に対応する温度特性における出力電圧および前記他方側における前記直近の特性番号に対応する温度特性における出力電圧よりも高い電圧領域で交点を持つように各温度特性を調整して前記直近の交点番号に１を加算した交点番号の交点を持つ前記温度特性のｎ組の組み合わせを順次形成し、
さらに前記ｎ組の組み合わせから外れた特性番号の温度特性に関してはそのピーク電圧が、直近の交点番号の交点を含み、かつ前記一方側および前記他方側における直近の特性番号の温度特性の出力電圧よりも大きい電圧領域にピーク電圧が存在するように調整したことを特徴とする基準電圧発生回路における基準電圧の調整方法にある。
【００１４】
本態様によれば、組み合わされた複数種類の温度特性が５以上の奇数組の場合において、第１の態様と同様の作用・効果を発揮させることができる。
【００１５】
本発明の第４の態様は、
第１〜第３のいずれか一つに記載する基準電圧発生回路における基準電圧の調整方法において、
前記各組の交点は、各交点番号に対応するすべての交点において一定温度としたことを特徴とする基準電圧発生回路における温度特性の調整方法にある。
【００１６】
本態様によれば、一定の温度（例えば２５℃）に合わせて２種類の温度特性の交点を定めればよいので、所定の調整を最も合理的に行うことができる。
【００１７】
本発明の第５の態様は、
第１〜第４の態様のいずれか一つに記載する基準電圧発生回路における基準電圧の調整方法おいて、
各ピーク電圧は所定電圧に揃えてあることを特徴とする基準電圧発生回路における温度特性の調整方法にある。
【００１８】
本態様によれば、各温度特性の最大電圧を辿る温度特性を最も平坦にすることができる。
【００１９】
本発明の第６の態様は、
環境温度に対する出力電圧特性を表す温度特性が異なる複数の基準電圧源を組み合わせて形成した基準電圧発生回路であって、
前記各基準電圧源は、基準電圧生成部と、増幅回路、出力トランジスタ、電圧調整部、出力端子、およびスイッチ手段をそれぞれ有しており、
さらに前記基準電圧生成部は、ピーク電圧となる温度が異なる固有の温度特性を有するとともに第１〜第５の態様のいずれか一つに記載する基準電圧の調整方法により調整された所定の基準電圧を生成し、
前記増幅回路は、前記基準電圧と、前記電圧調整部からフィードバックされるフィードバック電圧とを比較して両者が一致するように前記出力トランジスタを制御し、
前記出力トランジスタは、前記出力端子に接続されて前記出力端子に生成される出力電圧を制御し、
前記電圧調整部は、前記出力端子に接続され、前記出力電圧が所定の基準出力電圧になるように調整可能に形成されるとともに、当該電圧調整部で検出される電圧を前記フィードバック電圧とし、
前記出力端子は、纏めて一本の共通出力端子に接続され、各基準出力電圧のうちの最大電圧である最大基準出力電圧が前記共通出力端子に得られるように構成するとともに、
前記スイッチ手段は、電源と前記出力端子との間に、前記出力トランジスタに対して直列に接続されていることを特徴とする基準電圧発生回路にある。
【００２０】
本態様によれば、各基準電圧生成部で生成される基準電圧に基づき電圧調整部における調整により出力端子に、ピーク電圧を与える温度が異なる固有の温度特性を有する所定の基準出力電圧を生成させるとともに、各基準出力電圧のうち最大の最大基準出力電圧を共通出力端子を介して出力させることができる。ここで、共通出力端子から得られる最大基準出力電圧は、環境温度に対する最大出力電圧を与える点を辿るほぼ平坦な出力電圧となる。したがって、広い温度範囲においてへ平坦な特性の最大基準出力電圧を得ることができる。
また、各温度特性の交点位置（交点における出力電圧）は、スイッチ手段のオン・オフにより特定の基準電圧源の基準電圧を逐次選択することで容易に調整することができる。
【００２１】
本発明の第７の態様は、
第６の態様に記載する基準電圧発生回路において、
前記基準電圧生成部は、定電流生成部と定電圧生成部とを有しており、
前記定電流生成部は、飽和結線された第１のＭＯＳトランジスタとゲートとソースが接続されたディプレッション型の第２のＭＯＳトランジスタとを直列に接続して形成し、
前記定電圧生成部は、前記第１のＭＯＳトランジスタとミラー接続した第３のＭＯＳトランジスタと、前記増幅回路を兼用する第４のＭＯＳトランジスタとを直列に接続して前記第４のＭＯＳトランジスタのゲート・ソース間電圧で前記基準電圧を生成する一方、第５のＭＯＳトランジスタで形成した前記出力トランジスタは、前記定電圧生成部に対してソースフォロアとなるよう前記第３のＭＯＳトランジスタと前記第４のＭＯＳトランジスタとの間にそのゲートが接続され、
前記電圧調整部は、前記第４のＭＯＳトランジスタのゲートに前記フィードバック電圧を供給するように構成したことを特徴とする基準電圧発生回路。
前記スイッチ手段は、ゲートに印加される電圧によりオン・オフされる第６のＭＯＳトランジスタで形成したことを特徴とする基準電圧発生回路にある。
【００２２】
本態様によれば、各基準電圧発生回路の定電流生成部で生成した定電流に基づき定電圧生成部で第４のＭＯＳトランジスタのゲート・ソース間電圧として規定される電圧で所定の基準電圧を得る。ここで、電圧調整部からは、出力端子を所定の基準出力電圧になるように調整した状態で検出される所定の電圧がフィードバック電圧として、第４のＭＯＳトランジスタに供給され、ソースフォロアとなっている出力トランジスタの出力を制御する。この結果、各出力端子には、各定電圧生成部で生成した、基準電圧に基づき固有の温度特性を有する所定の基準出力電圧が安定的に生成される。
また、各温度特性の交点位置は、第６のＭＯＳトランジスタのゲートに印加される電圧により第６のＭＯＳトランジスタをオン・オフして特定の基準電圧源の基準電圧を逐次選択することで容易に調整することができる。
【００２３】
本発明の第８の態様は、
第７の態様に記載する基準電圧発生回路において、
前記定電流生成部は、その第１のＭＯＳトランジスタを、前記定電圧生成部の第３のＭＯＳトランジスタにそれぞれ共通にミラー接続することにより各定電圧生成部に共通に形成したものであることを特徴とする基準電圧発生回路にある。
【００２４】
本態様によれば、定電流生成部を複数の定電圧生成部で共用することができる。この結果、定電流生成部における部品点数や、消費電流の削減を図り得ばかりでなく、定電流生成部の特性を容易に揃えることもできる。
【００２５】
本発明の第９の態様は、
第７または第８の態様に記載する基準電圧発生回路において、
前記電圧調整部は、一端が前記出力トランジスタおよび前記出力端子にそれぞれ接続されるとともに、複数の抵抗素子を直列に接続して構成するとともに、前記出力端子にそれぞれ基準出力電圧が生成されるように調整した状態で前記抵抗素子の分割比で規定される前記フィードバック電圧を第４のＭＯＳトランジスタのゲートにそれぞれ供給するように構成することにより各定電圧生成部および各出力トラジスタに共通に形成したものであることを特徴とする基準電圧発生回路にある。
【００２６】
本態様によれば、電圧調整部を複数の基準電圧源で共用することができる。この結果、電圧調整部における部品点数や、消費電流の削減を図り得ばかりでなく、電圧調整部の特性を容易に揃えることもできる。
【発明の効果】
【００２７】
本発明によれば、当該基準電圧発生回路の共通出力端子から得る最大基準出力電圧の温度特性を、各基準電圧生成部の各温度特性の温度範囲を重畳した広い温度範囲で平坦な特性を有するものとすることができる。
【図面の簡単な説明】
【００２８】
【図１】本発明の実施の形態に係る基準電圧発生回路を示すブロック図である。
【図２】基準電圧が４種類の場合の基準電圧の調整方法を示す温度特性に関する特性図である。
【図３】基準電圧が３種類の場合の基準電圧の調整方法を示す温度特性に関する特性図である。
【図４】基準電圧が５種類の場合の基準電圧の調整方法を示す温度特性に関する特性図である。
【図５】本発明の第１の実施の形態に係る基準電圧発生回路を示すブロック図である。
【図６】本発明の第２の実施の形態に係る基準電圧発生回路を示すブロック図である。
【図７】本発明の第３の実施の形態に係る基準電圧発生回路を示すブロック図である。
【発明を実施するための形態】
【００２９】
図１は本発明の基準電圧発生回路を示すブロック図である。同図に示すように、本発明に係る基準電圧発生回路は、環境温度に対する出力電圧特性を表す温度特性がそれぞれ異なる複数の基準電圧源Ｉ−１,Ｉ−２,・・・,Ｉ−Ｎ（Ｎは自然数）を組み合わせて形成したものである。
【００３０】
各基準電圧源Ｉ−１,Ｉ−２,・・・,Ｉ−Ｎは、基準電圧生成部Ａ−１,Ａ−２,・・・,Ａ−Ｎ、増幅回路Ｂ−１,Ｂ−２,・・・,Ｂ−Ｎ、出力トランジスタＣ−１,Ｃ−２,・・・,Ｃ−Ｎ、電圧調整部Ｄ−１,Ｄ−２,・・・,Ｄ−Ｎ、出力端子ＯＵＴ−１，ＯＵＴ−２，・・・，ＯＵＴ−Ｎおよびスイッチ手段Ｅ−１,Ｅ−２,・・・,Ｅ−Ｎをそれぞれ有している。
【００３１】
ここで、基準電圧生成部Ａ−１,Ａ−２,・・・,Ａ−Ｎは、ピーク電圧となる温度が固有の温度特性を有する所定の基準電圧Ｖｒｅｆ−１, Ｖｒｅｆ−２,・・・, Ｖｒｅｆ−Ｎを生成する。基準電圧Ｖｒｅｆ−１, Ｖｒｅｆ−２,・・・, Ｖｒｅｆ−Ｎは増幅回路Ｂ−１,Ｂ−２,・・・,Ｂ−Ｎの一方の入力となる。増幅回路Ｂ−１,Ｂ−２,・・・,Ｂ−Ｎの他方の入力には、電圧調整部Ｄ−１,Ｄ−２,・・・,Ｄ−Ｎから所定のフィードバック電圧ＦＢ−１,ＦＢ−２,・・・,ＦＢ−Ｎが供給される。電圧調整部Ｄ−１,Ｄ−２,・・・,Ｄ−Ｎは、出力トランジスタＣ−１,Ｃ−２,・・・,Ｃ−Ｎを介して制御される出力端子ＯＵＴ−１，ＯＵＴ−２，・・・，ＯＵＴ−Ｎの電圧が所定の基準出力電圧ＶＲＥＦ−１, ＶＲＥＦ−２,・・・, ＶＲＥＦ−Ｎになるように調整するとともに、基準出力電圧ＶＲＥＦ−１, ＶＲＥＦ−２,・・・, ＶＲＥＦ−Ｎを与えるフィードバック電圧ＦＢ−１,ＦＢ−２,・・・,ＦＢ−Ｎを増幅回路Ｂ−１,Ｂ−２,・・・,Ｂ−Ｎにフィードバックする。この結果、増幅回路Ｂ−１,Ｂ−２,・・・,Ｂ−Ｎの出力で出力トランジスタＣ−１,Ｃ−２,・・・,Ｃ−Ｎが制御され、出力端子ＯＵＴ−１，ＯＵＴ−２，・・・，ＯＵＴ−Ｎが所定の基準出力電圧ＶＲＥＦ−１, ＶＲＥＦ−２,・・・, ＶＲＥＦ−Ｎに保持される。Ｎ個の出力端子ＯＵＴ−１，ＯＵＴ−２，・・・，ＯＵＴ−Ｎは、並列に接続されて一本の共通出力端子ＯＵＴＣＯＭに纏められている。したがって、共通出力端子ＯＵＴＣＯＭには基準出力電圧ＶＲＥＦ−１, ＶＲＥＦ−２,・・・, ＶＲＥＦ−Ｎのうちの最大電圧である最大基準出力電圧ＶＲＥＦＭＡＸが出力される。
【００３２】
このように本発明においては、基準電圧源Ｉ−１,Ｉ−２,・・・,Ｉ−ＮをＮ個、並列に接続して基準電圧回路を形成しており、各基準電圧源Ｉ−１,・・・,Ｉ−Ｎの各基準電圧生成部Ａ−１,Ａ−２,・・・,Ａ−Ｎで生成される基準電圧Ｖｒｅｆ−１, Ｖｒｅｆ−２,・・・, Ｖｒｅｆ−Ｎ
が異なっていても、電圧調整部Ｄ−１,Ｄ−２,・・・,Ｄ−Ｎでの調整により、所定の基準で合わせ込んだ基準出力電圧ＶＲＥＦ−１, ＶＲＥＦ−２,・・・, ＶＲＥＦ−Ｎが出力トランジスタＣ−１,Ｃ−２,・・・,Ｃ−Ｎを介して出力端子ＯＵＴ−１，ＯＵＴ−２，・・・，ＯＵＴ−Ｎに生成される。ここで、基準出力電圧ＶＲＥＦ−１, ＶＲＥＦ−２,・・・, ＶＲＥＦ−Ｎは、基準電圧Ｖｒｅｆ−１, Ｖｒｅｆ−２,・・・, Ｖｒｅｆ−Ｎの温度特性を反映した固有の温度特性を有している。そこで、基準出力電圧ＶＲＥＦ−１, ＶＲＥＦ−２,・・・, ＶＲＥＦ−Ｎの中から温度分布に沿って最大の基準出力電圧ＶＲＥＦ−１, ＶＲＥＦ−２,・・・, ＶＲＥＦ−Ｎを選択することで得られる最大基準出力電圧ＶＲＥＦＭＡＸは、広い温度範囲で平坦な温度特性を有するものとなる。
【００３３】
スイッチ手段Ｅ−１,Ｅ−２,・・・,Ｅ−Ｎは、電源ＶＤＤと出力端子ＯＵＴ−１，ＯＵＴ−２，・・・，ＯＵＴ−Ｎとの間に、出力トランジスタＣ−１,Ｃ−２,・・・,Ｃ−Ｎに対して直列に接続されおり、そのオン・オフにより出力トランジスタＣ−１,Ｃ−２,・・・,Ｃ−Ｎを介した基準出力電圧ＶＲＥＦ−１, ＶＲＥＦ−２,・・・, ＶＲＥＦ−Ｎの出力端子ＯＵＴ−１，ＯＵＴ−２，・・・，ＯＵＴ−Ｎへの送出を適宜選択する。すなわち、後に詳述する、基準電圧Ｖｒｅｆ−１, Ｖｒｅｆ−２,・・・, Ｖｒｅｆ−Ｎの所定の調整時に、選択的に電源ＶＤＤと出力端子ＯＵＴ−１，ＯＵＴ−２，・・・，ＯＵＴ−Ｎとの間を遮断する。スイッチ手段Ｅ−１,Ｅ−２,・・・,Ｅ−Ｎは、基準電圧源Ｉ−１、・・・Ｉ−Ｎと増幅回路Ｂ−１,Ｂ−２,・・・,Ｂ−Ｎとの間に接続しても同様の機能を発揮させることができる。
【００３４】
上述の如く本形態に係る基準電圧発生回路は、ピーク電圧となる温度が固有の温度特性を有する基準出力電圧ＶＲＥＦ−１, ＶＲＥＦ−２,・・・, ＶＲＥＦ−Ｎを出力する基準電圧源Ｉ−１,Ｉ−２,・・・,Ｉ−ＮをＮ個組み合わせている。そこで、これらの出力電圧である基準出力電圧ＶＲＥＦ−１, ＶＲＥＦ−２,・・・, ＶＲＥＦ−Ｎの中から温度分布に沿って、最大値を与える最大基準出力電圧ＶＲＥＦＭＡＸは広い温度範囲で平滑な特性となる。ここで、基準電圧源Ｉ−１,・・・,Ｉ−Ｎの数が増加すれば増加するほど、最大基準出力電圧ＶＲＥＦＭＡＸの温度分布特性は、基本的には平滑化される。ただ、３個以上（Ｎ≧３）の基準電圧Ｉ−１,Ｉ−２,・・・,Ｉ−Ｎを組み合せた場合において最大基準出力電圧ＶＲＥＦＭＡＸの温度分布を平滑化のために最適化するには、３個以上の基準出力電圧ＶＲＥＦ−１, ＶＲＥＦ−２,・・・, ＶＲＥＦ−Ｎを予め的確に調整しておく必要がある。なお、基準電圧源Ｉ−１,Ｉ−２が２個（Ｎ＝２）で、２種類の温度特性曲線を組み合わせる場合は、温度特性曲線同士の交点が１個であるので、本発明に係る特別な調整をしなくても最大基準出力電圧ＶＲＥＦＭＡＸをある程度平滑なものとすることができる。そこで、本願発明に係る調整対象からは除いた。
【００３５】
上述の如き最適化のための調整方法はＮが偶数の場合と、奇数の場合とでその内容が異なる。そこで、基準電圧源Ｉ−１,Ｉ−２,・・・,Ｉ−Ｎが偶数個（Ｎ≧４）の場合、および奇数個（Ｎ≧３）の場合に分けて説明する。
【００３６】
＜Ｎが偶数の場合＞
１）Ｎ＝４の場合
図２はＮ＝４の場合の温度特性を示すグラフである。同図に示すように、この場合にはピーク電圧ＶＰ１，ＶＰ２，ＶＰ３，ＶＰ４を与える温度が異なる４種類の基準出力電圧ＶＲＥＦ−１, ＶＲＥＦ−２，ＶＲＥＦ−３, ＶＲＥＦ−４を有する。そこで、まず最小の特性番号１を一方側の開始番号とした場合の特性番号１（ＶＲＥＦ−１）の温度特性と、最大の特性番号４を他方側の開始番号とした場合の特性番号４（ＶＲＥＦ−４）の温度特性とを組み合わせて所定の温度（本例では２５℃）で交点番号１の交点Ｉ１を持つように各温度特性を調整する。
【００３７】
次に、前記一方側における直近の特性番号１に１を加算した特性番号２（ＶＲＥＦ−２）の温度特性と、前記他方側における直近の特性番号４から１を減じた特性番号３（ＶＲＥＦ−３）の温度特性とを組み合わせる。この際、基準出力電圧ＶＲＥＦ−２，ＶＲＥＦ−３が、直近の交点番号１の交点Ｉ１を含むと同時に、前記一方側における直近の特性番号１に対応する温度特性における基準出力電圧ＶＲＥＦ−１および前記他方側における直近の特性番号４に対応する温度特性における基準出力電圧ＶＲＥＦ−４よりも高い電圧領域で交点Ｉ２を持つように、各基準出力電圧 ＶＲＥＦ−２，ＶＲＥＦ−３を調整する。この調整の具体的内容に関しては後に詳述する。
【００３８】
ここで、本例では（交点Ｉ２の温度）＝（交点Ｉ１の温度）としている。このように（交点Ｉ２の温度）＝（交点Ｉ１の温度）とすることは必須ではないが、同一温度とすることで、所定の調整を最も合理的に行うことができる。特定の温度（２５℃）に合わせて２種類の温度特性の交点Ｉ１，Ｉ２を定めれば良いからである。
【００３９】
また、図２に示す場合は、基準出力電圧ＶＲＥＦ−１, ＶＲＥＦ−２，ＶＲＥＦ−３, ＶＲＥＦ−４のピーク電圧ＶＰ１，ＶＰ２，ＶＰ３，ＶＰ４を一定電圧に揃えてある。このように、一定電圧に揃える必要は必ずしもないが、揃えることで最大基準出力電圧ＶＲＥＦＭＡＸの温度分布特性を最も平滑化することができる。
【００４０】
２）Ｎ≧６の場合
最小の特性番号１を一方側の開始番号とした場合の特性番号１（ＶＲＥＦ−１）の温度特性と、最大の特性番号２ｎ（ｎ≧２の自然数）（＝６，８，１０・・・）を他方側の開始番号とした場合の特性番号２ｎ（＝６，８，１０・・・）（ＶＲＥＦ−Ｎ（＝６，８，１０・・・））の温度特性とを組み合わせて所定の温度（本例では２５℃）で交点番号１の交点Ｉ１を持つように各温度特性を調整する。
【００４１】
次に、前記一方側における直近の特性番号に１を加算した特性番号２の温度特性と、前記他方側における直近の特性番号２ｎから１を減じた特性番号（２ｎ−１）（ＶＲＥＦ−（Ｎ−１））の温度特性とを組み合わせ、直近の交点番号１の交点Ｉ１を含むと同時に、前記一方側における直近の特性番号１に対応する温度特性における基準出力電圧ＶＲＥＦ−１および前記他方側における直近の特性番号２ｎに対応する温度特性における基準出力電圧ＶＲＥＦ−Ｎよりも高い電圧領域で交点Ｉ２を持つように各温度特性を調整する。
【００４２】
さらに、直近の交点番号に１を加算した交点番号の交点を持つ温度特性を上述と同一条件の電圧領域で組み合わせることによりｎ組の組み合わせを順次形成する。
【００４３】
＜Ｎが奇数の場合＞
１）Ｎ＝３の場合
図３はＮ＝３の場合の温度特性を示すグラフである。同図に示すように、この場合にはピーク電圧ＶＰ１，ＶＰ２，ＶＰ３を与える温度が異なる３種類の基準出力電圧ＶＲＥＦ−１, ＶＲＥＦ−２，ＶＲＥＦ−３を有する。そこで、まず最小の特性番号１を一方側の開始番号とした場合の特性番号１（ＶＲＥＦ−１）の温度特性と、最大の特性番号３を他方側の開始番号とした場合の特性番号３（ＶＲＥＦ−３）の温度特性とを組み合わせて所定の温度（本例では２５℃）で交点番号１の交点Ｉ１を持つように各温度特性を調整する。
【００４４】
ここで、前記一方側における直近の特性番号１に１を加算した特性番号２（ＶＲＥＦ−２）の温度特性と、前記他方側における直近の特性番号３から１を減じた特性番号２（ＶＲＥＦ−２）の温度特性とは同じものである。そこで、特性番号２（ＶＲＥＦ−２）のピーク電圧ＶＰ２が、直近の交点番号１の交点Ｉ１を含み、かつ前記一方側における直近の特性番号１（ＶＲＥＦ−１）の温度特性の基準出力電圧ＶＲＥＦ−１および前記他方側における直近の特性番号３（ＶＲＥＦ−３）の温度特性の基準出力電圧ＶＲＥＦ−３よりも大きい電圧領域にピーク電圧ＶＰ２が存在するように基準出力電圧ＶＲＥＦ−２を調整する。この調整の具体的内容に関しては後に詳述する。
【００４５】
ここで、図３に示す場合は、基準出力電圧ＶＲＥＦ−１, ＶＲＥＦ−２，ＶＲＥＦ−３のピーク電圧ＶＰ１，ＶＰ２，ＶＰ３を一定電圧に揃えてある。このように、一定電圧に揃える必要は必ずしもないが、揃えることで最大基準出力電圧ＶＲＥＦＭＡＸの温度分布特性を最も平滑化することができる。
【００４６】
２）Ｎ＝５の場合
図４はＮ＝５の場合の温度特性を示すグラフである。同図に示すように、この場合にはピーク電圧ＶＰ１，ＶＰ２，ＶＰ３，ＶＰ４，ＶＰ５を与える温度が異なる５種類の基準出力電圧ＶＲＥＦ−１, ＶＲＥＦ−２，ＶＲＥＦ−３, ＶＲＥＦ−４，ＶＲＥＦ−５を有する。そこで、まず最小の特性番号１を一方側の開始番号とした場合の特性番号１（ＶＲＥＦ−１）の温度特性と、最大の特性番号５を他方側の開始番号とした場合の特性番号５（ＶＲＥＦ−５）の温度特性とを組み合わせて所定の温度（本例では２５℃）で交点番号１の交点Ｉ１を持つように各温度特性を調整する。
【００４７】
次に、前記一方側における直近の特性番号１に１を加算した特性番号２の温度特性（ＶＲＥＦ−２）と、前記他方側における直近の特性番号５から１を減じた特性番号４の温度特性とを組み合わせ、直近の交点番号１の交点Ｉ１を含むとともに前記一方側における前記直近の特性番号１に対応する温度特性（ＶＲＥＦ−１）における基準出力電圧ＶＲＥＦ−１および前記他方側における前記直近の特性番号５に対応する温度特性（ＶＲＥＦ−５）における基準出力電圧ＶＲＥＦ−５よりも高い電圧領域で交点を持つように基準出力電圧ＶＲＥＦ−２， ＶＲＥＦ−４を調整して直近の交点番号に１を加算した交点番号２の交点Ｉ２を持つ基準出力電圧 ＶＲＥＦ−２， ＶＲＥＦ−４の組み合わせを形成する。
【００４８】
さらに、上記２組の組み合わせから外れた特性番号３の温度特性（ＶＲＥＦ−３）に関してはそのピーク電圧ＶＰ３が、直近の交点番号２の交点Ｉ２を含むとともに、前記一方側における直近の特性番号２（ＶＲＥＦ−２）の基準出力電圧ＶＲＥＦ−２および前記他方側における直近の特性番号４の温度特性（ＶＲＥＦ−４）の基準出力電圧ＶＲＥＦ−４よりも大きい電圧領域にピーク電圧ＶＰ３が存在するように調整する。この調整の具体的内容に関しては後に詳述する。
【００４９】
ここで、本例では（交点Ｉ２の温度）＝（交点Ｉ１の温度）としている。このように（交点Ｉ２の温度）＝（交点Ｉ１の温度）とすることは必須ではないが、同一温度とすることで、所定の調整を最も合理的に行うことができる。特定の温度（２５℃）に合わせて２種類の温度特性の交点Ｉ１，Ｉ２を定めれば良いからである。
【００５０】
また、図４に示す場合は、基準出力電圧ＶＲＥＦ−１, ＶＲＥＦ−２，ＶＲＥＦ−３, ＶＲＥＦ−４, ＶＲＥＦ−５のピーク電圧ＶＰ１，ＶＰ２，ＶＰ３，ＶＰ４，ＶＰ５を一定電圧に揃えてある。このように、一定電圧に揃える必要は必ずしもないが、揃えることで最大基準出力電圧ＶＲＥＦＭＡＸの温度分布特性を可及的に平滑化することができる。
【００５１】
３）Ｎ≧７の場合
この場合にはピーク電圧ＶＰ１，ＶＰ２，・・・，ＶＰＮを与える温度が異なるＮ種類の基準出力電圧ＶＲＥＦ−１, ＶＲＥＦ−２，・・・，ＶＲＥＦ−Ｎを有する。そこで、まず最小の特性番号１を一方側の開始番号とした場合の特性番号１（ＶＲＥＦ−１）の温度特性と、最大の特性番号（２ｎ＋１）（ｎは自然数）を他方側の開始番号とした場合の特性番号（２ｎ＋１）（＝７，９，１１・・・）（ＶＲＥＦ−Ｎ（＝７，９，１１・・・））の温度特性とを組み合わせて所定の温度（本例では２５℃）で交点番号１の交点を持つように各温度特性を調整する。
【００５２】
次に、前記一方側における直近の特性番号に１を加算した特性番号の温度特性と、前記他方側における直近の特性番号から１を減じた特性番号の温度特性とを組み合わせ、直近の交点番号の交点を含むとともに前記一方側における前記直近の特性番号に対応する温度特性における基準出力電圧（ＶＲＥＦ−（１，２，３・・・））および前記他方側における前記直近の特性番号に対応する温度特性における基準出力電圧（ＶＲＥＦ−（Ｎ、Ｎ−１、Ｎ−２・・・））よりも高い電圧領域で交点を持つように基準出力電圧（ＶＲＥＦ−（１，２，３・・・））および基準出力電圧（ＶＲＥＦ−（Ｎ、Ｎ−１、Ｎ−２・・・））を調整して直近の交点番号に１を加算した交点番号の交点を持つ温度特性の組み合わせをｎ組、順次形成する。
【００５３】
続いて、ｎ組の組み合わせから外れた特性番号（ｎ＋１）の温度特性に関してはそのピーク電圧ＶＰ（ｎ＋１）が、直近の交点番号ｎの交点Ｉｎを含み、かつ前記一方側および前記他方側における直近の特性番号（ｎ）および特性番号（ｎ＋２）の温度特性の基準出力電圧（ＶＲＥＦ−ｎ）および基準出力電圧（ＶＲＥＦ−（ｎ＋２））よりも大きい電圧領域にピーク電圧ＶＰ（ｎ＋１）が存在するように調整する。
【００５４】
次に、上記基準電圧発生回路のさらに具体的な構成を示す本発明の３個の実施の形態に関し図５〜図７に基づき詳細に説明する。
【００５５】
＜第１の実施の形態（Ｎ＝４）＞
図５は本発明の第１の実施の形態に係る基準電圧発生回路を示すブロック図である。本形態は、４種類の基準出力電圧ＶＲＥＦ−１, ＶＲＥＦ−２，ＶＲＥＦ−３, ＶＲＥＦ−４を生成する回路である。したがって、前述のＮ＝４の調整方法が適用され、図２に示す最大基準出力電圧ＶＲＥＦＭＡＸを出力する。
【００５６】
本形態は、図１に示す基準電圧生成部Ａが４段の場合である。さらに詳言すると、定電流生成部１と定電圧生成部２−１とで一つの基準電圧生成部Ａ−１（図１参照；以下同じ）を形成している。同様に、定電流生成部１と定電圧生成部２−２とで基準電圧生成部Ａ−２（図１参照；以下同じ）を、定電流生成部１と定電圧生成部２−３とで基準電圧生成部Ａ−３を、定電流生成部１と定電圧生成部２−４とで基準電圧生成部Ａ−４をそれぞれ形成している。すなわち、本形態では、定電圧生成部１は、４個の基準電圧生成部Ａ−１，Ａ−２,Ａ−３，Ａ−４で共用している。このように共用することで、定電流生成部１を構成する素子の部品点数や、消費電流の削減を図り得るばかりでなく、定電流生成部１の特性を容易に揃えることもできる。ただ、このように構成とすることは必須ではない。
【００５７】
さらに、定電流生成部１は、飽和結線された第１のＭＯＳトランジスタＴＲ１とゲートとソースが接続されたディプレッション型の第２のＭＯＳトランジスタＴＲ２とを直列に接続して形成してある。定電圧生成部２−１は、第１のＭＯＳトランジスタＴＲ１とミラー接続した第３のＭＯＳトランジスタＴＲ３−１と、増幅回路Ｂ−１（図１参照；以下同じ）を兼用する第４のＭＯＳトランジスタＴＲ４−１とを直列に接続して第４のＭＯＳトランジスタＴＲ４−１のゲート・ソース間電圧ＶＧＳ−１で基準電圧Ｖｒｅｆ―１を生成する。
【００５８】
同様に、定電圧生成部２−２は、第１のＭＯＳトランジスタＴＲ１とミラー接続した第３のＭＯＳトランジスタＴＲ３−２と、増幅回路Ｂ−２を兼用する第４のＭＯＳトランジスタＴＲ４−２とを直列に接続して第４のＭＯＳトランジスタＴＲ４−２のゲート・ソース間電圧ＶＧＳ−２で基準電圧Ｖｒｅｆ−２を生成する。また、定電圧生成部２−３は、第１のＭＯＳトランジスタＴＲ１とミラー接続した第３のＭＯＳトランジスタＴＲ３−３と、増幅回路Ｂ−３を兼用する第４のＭＯＳトランジスタＴＲ４−３とを直列に接続して第４のＭＯＳトランジスタＴＲ４−３のゲート・ソース間電圧ＶＧＳ−３で基準電圧Ｖｒｅｆ−３を生成する。さらにい、定電圧生成部２−４は、第１のＭＯＳトランジスタＴＲ１とミラー接続した第３のＭＯＳトランジスタＴＲ３−４と、増幅回路Ｂ−４を兼用する第４のＭＯＳトランジスタＴＲ４−４とを直列に接続して第４のＭＯＳトランジスタＴＲ４−４のゲート・ソース間電圧ＶＧＳ−４で基準電圧Ｖｒｅｆ−４を生成する。
【００５９】
ここで、基準電圧Ｖｒｅｆ−１、Ｖｒｅｆ−２、Ｖｒｅｆ−３、Ｖｒｅｆ−４はピーク電圧となる温度が異なる固有の温度特性を有している。そして、本形態では基準電圧Ｖｒｅｆ−１のピーク電圧となる温度から順に、基準電圧Ｖｒｅｆ−４のピーク電圧となる温度に向けて徐々に高温に移行するように設定してある。かかる設定は第４のＭＯＳトランジスタＴＲ４−１〜４−４のＷ／Ｌ（Ｗ＝ＭＯＳトランジスタのチャンネル幅、Ｌ＝チャンネルの長さ）を選択することで任意に設定することができる。
【００６０】
基準電圧源Ｉ−１（図１参照；以下同じ）の出力トランジスタとなる第５のＭＯＳトランジスタＴＲ５−１は、第３のトランジスタＴＲ３−１と第４のトランジスタＴＲ４−１との間に、そのゲートが接続されるとともに、定電圧生成部２−１にソースフォロアとなるようにそのソースが出力端子ＯＵＴ−１に接続されている。同様に、基準電圧源Ｉ−２の出力トランジスタとなるＭＯＳトランジスタＴＲ５−２は、第３のトランジスタＴＲ３−２と第４のＭＯＳトランジスタＴＲ４−２との間に、そのゲートが接続されるとともに、定電圧生成部２−２にソースフォロアとなるようにそのソースが出力端子ＯＵＴ−２に接続されている。また、基準電圧源Ｉ−３の出力トランジスタとなるＭＯＳトランジスタＴＲ５−３は、第３のトランジスタＴＲ３−３と第４のＭＯＳトランジスタＴＲ４−３との間に、そのゲートが接続されるとともに、定電圧生成部２−３にソースフォロアとなるようにそのソースが出力端子ＯＵＴ−３に接続されている。さらに、基準電圧源Ｉ−４の出力トランジスタとなるＭＯＳトランジスタＴＲ５−４は、第３のトランジスタＴＲ３−４と第４のＭＯＳトランジスタＴＲ４−４との間に、そのゲートが接続されるとともに、定電圧生成部２−４にソースフォロアとなるようにそのソースが出力端子ＯＵＴ−４に接続されている。
【００６１】
基準電圧源Ｉの出力端子ＯＵＴ−１，ＯＵＴ−２,ＯＵＴ−３，ＯＵＴ−４は並列に接続され、共通出力端子ＯＵＴＣＯＭとして一本に纏められている。この結果、共通出力端子ＯＵＴＣＯＭには基準出力電圧ＶＲＥＦ−１，ＶＲＥＦ−２のうち最大の最大基準出力電圧ＶＲＥＦＭＡＸが生成される。
【００６２】
本形態の如く、複数段の基準電圧源Ｉを並列に接続した場合、出力トランジスタＣにより出力される複数種類の基準出力電圧ＶＲＥＦは、所定の基準で合わせ込んでおく必要がある。すなわち、本形態は基準電圧源Ｉが４段の場合であるので、４種類の基準出力電圧ＶＲＥＦ−１，ＶＲＥＦ−２，ＶＲＥＦ−３，ＶＲＥＦ−４が生成される。そこで、前述の如く基準出力電圧ＶＲＥＦ−１，ＶＲＥＦ−２，ＶＲＥＦ−３，ＶＲＥＦ−４は、図２に示す温度特性を有するように調整してある。
【００６３】
かかる調整は電圧調整部Ｄ４における所定の調整の結果実現される。本形態における電圧調整部Ｄ４は、一端が出力端子ＯＵＴ−１，ＯＵＴ−２,ＯＵＴ−３，ＯＵＴ−４にそれぞれ接続されるとともに他端が接地されており、出力トランジスタであるＭＯＳトランジスタＴＲ５−１，ＴＲ５−２,ＴＲ５−３，ＴＲ５−４の出力電圧である基準出力電圧ＶＲＥＦ−１，ＶＲＥＦ−２，ＶＲＥＦ−３，ＶＲＥＦ−４を調整可能に形成されている。そして、それぞれ所定の基準出力電圧ＶＲＥＦ−１，ＶＲＥＦ−２，ＶＲＥＦ−３，ＶＲＥＦ−４になるように電圧調整部Ｄ４で検出される電圧をフィードバック電圧ＦＢ−１,ＦＢ−２，ＦＢ−３，ＦＢ−４として第４のＭＯＳトランジスタＴＲ４−１、ＴＲ４−２,ＴＲ４−３,ＴＲ４−４にフィードバックしている。
【００６４】
本形態における電圧調整部Ｄ４は、複数（本形態では５個）の可変抵抗素子Ｒ１，Ｒ２，Ｒ３，Ｒ４および固定値の抵抗素子Ｒｆｉｘを直列に接続して構成するとともに、基準出力電圧ＶＲＥＦ−１，ＶＲＥＦ−２，ＶＲＥＦ−３，ＶＲＥＦ−４がそれぞれ生成されるように調整した状態で可変抵抗素子Ｒ１，Ｒ２，Ｒ３および固定値の抵抗素子Ｒｆｉｘの分割比で規定されるフィードバック電圧ＦＢ−１，ＦＢ−２,ＦＢ−３，ＦＢ−４を第４のＭＯＳトランジスタＴＲ４−１、ＴＲ４−２,ＴＲ４−３,ＴＲ４−４のゲートにそれぞれ供給するように構成してある。すなわち、本形態では、電圧調整部Ｄ４は、４個の基準電圧源Ｉ−１〜Ｉ−４で共用している。このように共用することで、電圧調整部Ｄ４での消費電流の削減を図り得るばかりでなく、電圧調整部Ｄ４の特性を容易に揃えることもできる。ただ、このように構成とすることは必須ではない。
【００６５】
本形態に係る基準電圧回路では、出力トランジスタであるＭＯＳトランジスタＴＲ５−１，ＴＲ５−２,ＴＲ５−３，ＴＲ５−４に直列にスイッチング素子であるＭＯＳトランジスタＴＲ６−１，ＴＲ６−２,ＴＲ６−３，ＴＲ６−４が接続してあり、ＭＯＳトランジスタＴＲ６−１，ＴＲ６−２,ＴＲ６−３，ＴＲ６−４のＯＮ／ＯＦＦを制御することにより可変抵抗素子Ｒ１〜Ｒ３および固定値の抵抗素子Ｒｆｉｘの抵抗値の調整による基準電圧Ｖｒｅｆ−１，Ｖｒｅｆ−２,Ｖｒｅｆ−３，Ｖｒｅｆ−４の調整を容易かつ合理的に実施し得るように構成してある。  
【００６６】
スイッチング素子であるＭＯＳトランジスタＴＲ６−１，ＴＲ６−２,ＴＲ６−３，ＴＲ６−４のＯＮ／ＯＦＦ制御および電圧調整部Ｄ４により基準出力電圧ＶＲＥＦ−１，ＶＲＥＦ−２，ＶＲＥＦ−３，ＶＲＥＦ−４が図２に示す温度特性を有するようにするための調整は、次のような手順による。
【００６７】
＜Ｎ＝４の場合＞
１）調整前の抵抗値（初期値）
ini_Ｒ1,ini_Ｒ2,ini_Ｒ3,ini_Ｒ4,Rfix
ここで、ini_Ｒ1,ini_Ｒ2,ini_Ｒ3,ini_Ｒ4,Rfixは設計値として適宜設定する。
２）調整前の基準電圧値（初期値）
ini_Vref1, ini_Vref2, ini_Vref3, ini_Vref４
ここで、Vref1は、ＭＯＳトランジスタＴＲ６−１をオン状態、その他のＭＯＳトランジスタＴＲ６−２〜ＴＲ６−４をオフ状態とした場合の、出力端子ＯＵＴ−１の電圧として実測により得る。以下、同様に、Vref2は、ＭＯＳトランジスタＴＲ６−２をオン状態、その他をオフ状態とした場合の、出力端子ＯＵＴ−２の電圧、Vref3は、ＭＯＳトランジスタＴＲ６−３をオン状態、その他をオフ状態とした場合の、出力端子ＯＵＴ−３の電圧、Vref4は、ＭＯＳトランジスタＴＲ６−４をオン状態、その他をオフ状態とした場合の、出力端子ＯＵＴ−４の電圧としてそれぞれ実測により得る。
３）求めたい調整後の抵抗値と基準電圧値
３−１）調整後の抵抗値
tar_Ｒ1, tar_Ｒ2, tar_Ｒ3, tar_Ｒ4
３−２）調整後の基準電圧値
tar_Vref1, tar_Vref2, tar_Vref3, tar_Vref4,
tar_Vref1 ＝ Vref1とVref4の25℃での交点
tar_Vref2 ＝ Vref2とVref3の25℃での交点
tar_Vref3 ＝ Vref3とVref2の25℃での交点
tar_Vref4 ＝ Vref1とVref4の25℃での交点
【００６８】
＜手順１＞
調整前の上記値に基づき各フィードバック電圧FB-１〜FB-４を求める。具体的には次の演算を行う。
FB-1=ini_Vref1×(ini_Ｒ2+ini_Ｒ3+ini_Ｒ4+Rfix)/(ini_Ｒ1+ini_Ｒ2+ini_Ｒ3+ini_Ｒ4+Rfix)
FB-2=ini_Vref2×(ini_Ｒ3+ini_Ｒ4+Rfix)/( ini_Ｒ1+ini_Ｒ2+ini_Ｒ3+ini_Ｒ4+Rfix)
FB-3=ini_Vref3×(ini_Ｒ4+Rfix)/( ini_Ｒ1+ini_Ｒ2+ini_Ｒ3+ini_Ｒ4+Rfix)
FB-4=ini_Vref4×(Rfix)/( ini_Ｒ1+ini_Ｒ2+ini_Ｒ3+ini_Ｒ4+Rfix)
＜手順2＞
目標値のtar_Vref4から合計抵抗（tar_R1+tar_R2+tar_R3+tar_R4)を求める。具体的には次の演算を行う。
(tar_R1+tar_R2+tar_R3+tar_R4) = tar_Xと置くと
FB-4 = tar_Vref4×(Rfix)/（ tar_X+Rfix）
tar_X = tar_Vref4×Rfix/FB-4-Rfix
＜手順3＞
目標値tar_Vref3よりtar_Ｒ4を求める。具体的には次の演算を行う。
FB-3 = tar_Vref3×(tar_R4+Rfix）/（ tar_X+Rfix）
(tar_R4+Rfix）=FB-3×（ tar_X+Rfix）/ tar_Vref3
tar_R4=FB-3×（ tar_X+Rfix）/ tar_Vref3 -Rfix
＜手順4＞
目標値tar_Vref2よりtar_Ｒ3を求める。具体的には次の演算を行う。
FB-2 = tar_Vref2×(tar_R3+tar_R4+Rfix）/（ tar_X+Rfix）
(tar_R3+tar_R4+Rfix）=FB-2×（ tar_X+Rfix）/tar_Vref2
tar_R3=FB-2×（ tar_X+Rfix）/tar_Vref2-（tar_R4+Rfix）
＜手順5＞
目標値tar_Vref1よりtar_Ｒ2を求める。具体的には次の演算を行う。
FB-１ = tar_Vref1×(tar_R2+tar_R3+tar_R4+Rfix）/（ tar_X+Rfix）
(tar_R2+tar_R3+tar_R4+Rfix）=FB-1×（ tar_X+Rfix）/tar_Vref1
tar_R2=FB-1×（ tar_X+Rfix）/tar_Vref1-（tar_R3+tar_R4+Rfix）
＜手順6＞
合計抵抗tar_Xよりtar_R1を求める。具体的には次の演算を行う。
tar_R1 = tar_X - tar_R2 - tar_R3 - tar_R4      
以上により調整後の抵抗値がそれぞれ求められる。
【００６９】
かかる本形態によれば、各定電圧生成部２−１，２−２，２−３，２−４で生成される基準電圧Ｖｒｅｆ−１，Ｖｒｅｆ−２，Ｖｒｅｆ−３，Ｖｒｅｆ−４に基づき電圧調整部Ｄ４における調整により出力端子ＯＵＴ−１, ＯＵＴ−２，ＯＵＴ−３, ＯＵＴ−４に、ピーク電圧ＶＰ１，ＶＰ２，ＶＰ３，ＶＰ４を与える温度が異なる固有の温度特性を有する４種類の基準出力電圧ＶＲＥＦ−１，ＶＲＥＦ−２，ＶＲＥＦ−３，ＶＲＥＦ−４を生成させ、さらに各基準出力電圧ＶＲＥＦ−１，ＶＲＥＦ−２，ＶＲＥＦ−３，ＶＲＥＦ−４のうち最大の最大基準出力電圧ＶＲＥＦＭＡＸを共通出力端子ＯＵＴＣＯＭに選択的に出力させることができる。すなわち、本形態は４段の基準電圧源Ｉ−１，Ｉ−２，Ｉ−３，Ｉ−４を有するので、図２の温度特性に示すように、ピーク電圧ＶＰ１，ＶＰ２，ＶＰ３，ＶＰ４を与える温度が異なる４種類の温度特性を重畳した温度特性を有するものとなる。
【００７０】
この結果、本形態では、単独の基準電圧源Ｉでは、図２に点線で示すように、端部が低下する傾向を示す４種類の基準出力電圧ＶＲＥＦ−１，ＶＲＥＦ−２，ＶＲＥＦ−３，ＶＲＥＦ−４のうち大きい方を選択することができる。このため、図２中に太線で示す最大基準出力電圧ＶＲＥＦＭＡＸは、単独の基準出力電圧ＶＲＥＦ−１，ＶＲＥＦ−２，ＶＲＥＦ−３，ＶＲＥＦ−４の温度特性の両端部の領域の低下電圧を、別のより大きな基準出力電圧ＶＲＥＦ−１，ＶＲＥＦ−２，ＶＲＥＦ−３，ＶＲＥＦ−４で代替した特性となる。この結果、共通出力端子ＯＵＴＣＯＭを介して得られる最終的な出力電圧である最大基準出力電圧ＶＲＥＦＭＡＸの温度特性を、各基準電圧生成部Ｉの各基準電圧ＶＲＥＦ−１，ＶＲＥＦ−２，ＶＲＥＦ−３，ＶＲＥＦ−４の温度範囲の全域において最大電圧部分が連続する平坦な特性を有するものとすることができる。
【００７１】
＜第２の実施の形態（Ｎ＝３）＞
図６は本発明の第２の実施の形態に係る基準電圧発生回路を示すブロック図である。本形態は、３種類の基準出力電圧ＶＲＥＦ−１, ＶＲＥＦ−２，ＶＲＥＦ−３を生成する回路である。したがって、前述のＮ＝３の調整方法が適用され、図３に示す最大基準出力電圧ＶＲＥＦＭＡＸを出力する。
【００７２】
本形態は、図１に示す基準電圧源Ｉが３段の場合である。したがって、図６に示す基準電圧発生回路は、定電流生成部１と、３個づつの定電圧生成部２−１，２−２，２−３、出力トランジスタであるＭＯＳトランジスタ５−１，ＴＲ５−２,ＴＲ５−３、スイッチング素子であるＭＯＳトランジスタＴＲ６−１，ＴＲ６−２,ＴＲ６−３とともに、可変抵抗素子Ｒ１〜Ｒ３および固定値の抵抗素子Ｒｆｉｘからなる１個の電圧調整部Ｄ３を有している。すなわち、図５に示す基準電圧発生回路から定電圧生成部２−４、出力トランジスタであるＭＯＳトランジスタ５−４、スイッチング素子であるＭＯＳトランジスタＴＲ６−４を削除するとともに、電圧調整部Ｄ４から可変抵抗素子Ｒ４を削除したものである。ただ、各部の構成要素自体は同一である。そこで、同一部分には同一番号を付し、重複する説明は省略する。
【００７３】
スイッチング素子であるＭＯＳトランジスタＴＲ６−１，ＴＲ６−２,ＴＲ６−３のＯＮ／ＯＦＦ制御および電圧調整部Ｄ３により基準出力電圧ＶＲＥＦ−１，ＶＲＥＦ−２，ＶＲＥＦ−３が図３に示す温度特性を有するようにするための調整は、具体的には次のような手順による。
【００７４】
＜Ｎ＝３の場合＞
１）調整前の抵抗値（初期値）
ini_Ｒ1,ini_Ｒ2,ini_Ｒ3,Rfix
ここで、ini_Ｒ1,ini_Ｒ2,ini_Ｒ3,Rfixは設計値として適宜設定する。
２）調整前の基準値（初期値）
ini_Vref1, ini_Vref2, ini_Vref3,
ここで、Vref1は、ＭＯＳトランジスタＴＲ６−１をオン状態、その他のＭＯＳトランジスタＴＲ６−２、ＴＲ６−３をオフ状態とした場合の、出力端子ＯＵＴ−１の電圧として実測により得る。以下、同様に、Vref2は、ＭＯＳトランジスタＴＲ６−２をオン状態、その他をオフ状態とした場合の、出力端子ＯＵＴ−２の電圧、Vref3は、ＭＯＳトランジスタＴＲ６−３をオン状態、その他をオフ状態とした場合の、出力端子ＯＵＴ−３の電圧としてそれぞれ実測により得る。
３）求めたい調整後の抵抗値と基準電圧値
３−１）調整後の抵抗値
tar_Ｒ1, tar_Ｒ2, tar_Ｒ3
３−２）調整前の基準電圧値
tar_Vref1, tar_Vref2, tar_Vref3,
tar_Vref1 ＝ Vref1とVref3の25℃での交点
tar_Vref2 ＝ Vref1の頂点となる25℃のVref値
tar_Vref3 ＝ Vref1とVref3の25℃での交点
＜手順1＞
調整前の上記値に基づきフィードバック電圧FB-１〜FB-３を求める。
FB-1=ini_Vref1×(ini_Ｒ2+ini_Ｒ3+Rfix)/( ini_Ｒ1+ini_Ｒ2+ini_Ｒ3+Rfix)
FB-2=ini_Vref2×(ini_Ｒ3+Rfix)/( ini_Ｒ1+ini_Ｒ2+ini_Ｒ3+Rfix)
FB-3=ini_Vref3×(Rfix)/( ini_Ｒ1+ini_Ｒ2+ini_Ｒ3+Rfix)
＜手順2＞
目標値のtar_Vref3から合計抵抗（tar_R1+tar_R2+tar_R3)を求める
(tar_R1+tar_R2+tar_R3) = tar_Xと置くと、
FB-3 = tar_Vref3(Rfix)/（ tar_X+Rfix）
tar_X = tar_Vref3×Rfix/FB-3-Rfix
＜手順3＞
目標値tar_Vref2よりtar_Ｒ3を求める。
FB-2 = tar_Vref2×(tar_R3+Rfix）/（tar_X+Rfix）
(tar_R3+Rfix）=FB-2×（tar_X+Rfix）/ tar_Vref2
tar_R3=FB-2×（ tar_X+Rfix）/ tar_Vref2 -Rfix
＜手順4＞
目標値tar_Vref1よりtar_Ｒ2を求める。
FB-1 = tar_Vref1×(tar_R2+tar_R3+Rfix）/（tar_X+Rfix）
(tar_R2+tar_R3+Rfix）=FB-1×（tar_X+Rfix）/tar_Vref1
tar_R2=FB-1×（ tar_X+Rfix）/tar_Vref1-（tar_R3+Rfix）
＜手順5＞
合計抵抗tar_Xよりtar_R1を求める。
tar_R1 = tar_X - tar_R2 - tar_R3 
以上により調整後の抵抗値がそれぞれ求められる
【００７５】
かかる本形態によれば、共通出力端子ＯＵＴＣＯＭを介して得られる最終的な出力電圧である最大基準出力電圧ＶＲＥＦＭＡＸの温度特性を、図３に太線で示すような特性とすることができる。すなわち、各基準電圧生成部Ｉの各基準電圧ＶＲＥＦ−１〜ＶＲＥＦ−３の温度範囲の全域において最大電圧部分を重畳した平坦な特性を有するものとすることができる。
【００７６】
＜第３の実施の形態（Ｎ＝５）＞
図７は本発明の第３の実施の形態に係る基準電圧発生回路を示すブロック図である。本形態は、５種類の基準出力電圧ＶＲＥＦ−１, ＶＲＥＦ−２，ＶＲＥＦ−３, ＶＲＥＦ−４，ＶＲＥＦ−５を生成する回路である。したがって、前述のＮ＝５の調整方法が適用され、図４に示す最大基準出力電圧ＶＲＥＦＭＡＸを出力する。
【００７７】
本形態は、図１に示す基準電圧源Ｉが５段の場合である。したがって、図７に示す基準電圧発生回路は、定電流生成部１と、５個づつの定電圧生成部２−１，２−２，２−３，２−４，２−５、出力トランジスタであるＭＯＳトランジスタ５−１，ＴＲ５−２,ＴＲ５−３，ＴＲ５−４,ＴＲ５−５、スイッチング素子であるＭＯＳトランジスタＴＲ６−１，ＴＲ６−２,ＴＲ６−３，ＴＲ６−４,ＴＲ６−５とともに、可変抵抗素子Ｒ１〜Ｒ５および固定値の抵抗素子Ｒｆｉｘからなる１個の電圧調整部Ｄ５を有している。すなわち、図５に示す基準電圧回路に定電圧生成部２−５、出力トランジスタであるＭＯＳトランジスタ５−５、スイッチング素子であるＭＯＳトランジスタＴＲ６−５を追加するとともに、電圧調整部Ｄ５に可変抵抗素子Ｒ５を追加したものである。ただ、各部の構成要素自体は同一である。そこで、同一部分には同一番号を付し、重複する説明は省略する。
【００７８】
スイッチング素子であるＭＯＳトランジスタＴＲ６−１，ＴＲ６−２,ＴＲ６−３，ＴＲ６−４,ＴＲ６−５のＯＮ／ＯＦＦ制御および電圧調整部Ｄ５により基準出力電圧ＶＲＥＦ−１，ＶＲＥＦ−２，ＶＲＥＦ−３，ＶＲＥＦ−４，ＶＲＥＦ−５が図５に示す温度特性を有するようにするための調整は、具体的には次のような手順による。
【００７９】
＜Ｎ＝５の場合＞ 
１）調整前の抵抗値（初期値）
ini_Ｒ1,ini_Ｒ2,ini_Ｒ3,ini_Ｒ4,ini_Ｒ5,Rfix
ここで、ini_Ｒ1,ini_Ｒ2,ini_Ｒ3,ini_Ｒ4, ini_Ｒ5,Rfixは設計値として適宜設定する。
２）調整前の基準電圧値（初期値）
ini_Vref1, ini_Vref2, ini_Vref3, ini_Vref4, ini_Vref5
ここで、Vref1は、ＭＯＳトランジスタＴＲ６−１をオン状態、その他のＭＯＳトランジスタＴＲ６−２〜ＴＲ６−５をオフ状態とした場合の、出力端子ＯＵＴ−１の電圧として実測により得る。以下、同様に、Vref2は、ＭＯＳトランジスタＴＲ６−２をオン状態、その他をオフ状態とした場合の、出力端子ＯＵＴ−２の電圧、Vref3は、ＭＯＳトランジスタＴＲ６−３をオン状態、その他をオフ状態とした場合の、出力端子ＯＵＴ−３の電圧、Vref4は、ＭＯＳトランジスタＴＲ６−４をオン状態、その他をオフ状態とした場合の、出力端子ＯＵＴ−４の電圧、Vref5は、ＭＯＳトランジスタＴＲ６−５をオン状態、その他をオフ状態とした場合の、出力端子ＯＵＴ−５の電圧としてそれぞれ実測により得る。
３）求めたい調整後の抵抗値と基準電圧値
３−１）調整後の抵抗値
tar_Ｒ1, tar_Ｒ2, tar_Ｒ3, tar_Ｒ4, tar_Ｒ5
３−２）調整後の基準電圧値
tar_Vref1, tar_Vref2, tar_Vref3, tar_Vref4, tar_Vref5,
tar_Vref1 ＝ Vref1とVref5の25℃での交点
tar_Vref2 ＝ Vref2とVref4の25℃での交点
tar_Vref3 ＝ Vref3の頂点となる25℃のVref値
tar_Vref4 ＝ Vref2とVref4の25℃での交点
tar_Vref5 ＝ Vref1とVref5の25℃での交点
＜手順1＞
調整前の値より各フィードバック電圧FB-１〜FB-４を求める
FB-1=ini_Vref1×(ini_Ｒ2+ini_Ｒ3+ini_Ｒ4+ini_Ｒ5+Rfix)/(ini_Ｒ1+ini_Ｒ2+ini_Ｒ3+ini_Ｒ4+ini_Ｒ5+Rfix)
FB-2=ini_Vref2×(ini_Ｒ3+ini_Ｒ4+ini_Ｒ5+Rfix)/(ini_Ｒ1+ini_Ｒ2+ini_Ｒ3+ini_Ｒ4+ini_Ｒ5+Rfix)
FB-3=ini_Vref3×(ini_Ｒ4+ini_Ｒ5+Rfix)/(ini_Ｒ1+ini_Ｒ2+ini_Ｒ3+ini_Ｒ4+ini_Ｒ5+Rfix)
FB-4=ini_Vref4×(ini_Ｒ5+Rfix)/(ini_Ｒ1+ini_Ｒ2+ini_Ｒ3+ini_Ｒ4+ini_Ｒ5+Rfix)
FB-5=ini_Vref5×(Rfix)/(ini_Ｒ1+ini_Ｒ2+ini_Ｒ3+ini_Ｒ4+ini_Ｒ5+Rfix)
＜手順2＞
目標値のtar_Vref5から合計抵抗（tar_R1+tar_R2+tar_R3+tar_R4+tar_R5)を求める
(tar_R1+tar_R2+tar_R3+tar_R4+tar_R5) = tar_Xと置くと、
FB-5 = tar_Vref5×(Rfix)/（tar_X+Rfix）
tar_X = tar_Vref5×Rfix/FB-5-Rfix
＜手順3＞
目標値tar_Vref4よりtar_Ｒ5を求める。
FB-4 = tar_Vref4×(tar_R5+Rfix）/（tar_X+Rfix）
(tar_R5+Rfix）=FB-4×（tar_X+Rfix）/ tar_Vref4
tar_R5=FB-4×（ tar_X+Rfix）/ tar_Vref4 -Rfix
＜手順4＞
目標値tar_Vref3よりtar_Ｒ4を求める
FB-3 = tar_Vref3×(tar_R4+tar_R5+Rfix）/（tar_X+Rfix）
(tar_R4+tar_R5+Rfix）=FB-3×（tar_X+Rfix）/tar_Vref3
tar_R4=FB-3×（ tar_X+Rfix）/tar_Vref3  -（tar_R5+Rfix）
＜手順5＞
目標値tar_Vref2よりtar_Ｒ3を求める
FB-2 = tar_Vref2×(tar_R3+tar_R4+tar_R5+Rfix）/（tar_X+Rfix）
(tar_R3+tar_R4+tar_R5+Rfix）=FB-2×（tar_X+Rfix）/tar_Vref2
tar_R3=FB-2×（ tar_X+Rfix）/tar_Vref2-（tar_R4+tar_R5+Rfix）
＜手順6＞
目標値tar_Vref1よりtar_Ｒ2を求める
FB-1 = tar_Vref1×(tar_R2+tar_R3+tar_R4+tar_R5+Rfix）/（tar_X+Rfix）
(tar_R2+tar_R3+tar_R4+tar_R5+Rfix）=FB-1×（tar_X+Rfix）/tar_Vref1
tar_R2=FB-1×（ tar_X+Rfix）/tar_Vref1-（tar_R3+tar_R4+tar_R5+Rfix）
＜手順7＞
合計抵抗tar_Xよりtar_R1を求める
tar_R1=tar_X - tar_R2 - tar_R3 - tar_R4 - tar_R5      
以上により調整後の抵抗値がそれぞれ求められる。
【００８０】
かかる本形態によれば、共通出力端子ＯＵＴＣＯＭを介して得られる最終的な出力電圧である最大基準出力電圧ＶＲＥＦＭＡＸの温度特性を、図４に太線で示すような特性とすることができる。すなわち、各基準電圧生成部Ｉの各基準電圧ＶＲＥＦ−１〜ＶＲＥＦ−５の温度範囲の全域において最大電圧部分を重畳した平坦な特性を有するものとすることができる。
【００８１】
なお、図５〜図７に図示はしないが、実際には、定電流生成部１および定電圧生成部２−１〜２−５にはカスコード回路が組み合わされており、各カスコード回路により電源電圧の変動を抑制する構造となっている。
【産業上の利用可能性】
【００８２】
本発明は安定的な基準の定電圧を必要とする半導体装置等を製造する産業分野において有効に利用することができる。
【符号の説明】
【００８３】
Ｉ−１〜Ｉ−Ｎ                          基準電圧源
Ａ−１〜Ａ−Ｎ                          基準電圧生成部
Ｂ−１〜Ｂ−Ｎ                          増幅回路
Ｃ−１〜Ｃ−Ｎ                          出力トランジスタ
Ｄ−１〜Ｄ−Ｎ                          電圧調整部
Ｅ−１〜Ｅ−Ｎ                          スイッチ手段
ＯＵＴ−１〜ＯＵＴ−Ｎ                  出力端子
ＯＵＴＣＯＭ                            共通出力端子  
Ｖｒｅｆ−１〜Ｖｒｅｆ−５              基準電圧
ＶＲＥＦ−１〜ＶＲＥＦ−５              基準電圧
ＦＢ−１〜ＦＢ−５                      フィードバック電圧
ＶＧＳ−１〜ＶＧＳ−５                  ゲート・ソース間電圧
ＶＲＥＦＭＡＸ                          最大基準出力電圧
１                                      定電流生成部
２−１〜２−５                          定電圧生成部
ＴＲ１                                  第１のトランジスタ
ＴＲ２                                  第２のトランジスタ
ＴＲ３−１〜ＴＲ３−５                  第３のトランジスタ
ＴＲ４−１〜ＴＲ４−５                  第４のトランジスタ
ＴＲ５−１〜ＴＲ５−５                  ＭＯＳトランジスタ（出力トランジスタ）
ＴＲ６−１〜ＴＲ６−５                  ＭＯＳトランジスタ（スイッチング素子）
Ｒ１〜Ｒ５                              可変抵抗素子
Ｒｆｉｘ                                抵抗素子
【図１】
2017091296.tif 000003
【図２】
2017091296.tif 000004
【図３】
2017091296.tif 000005
【図４】
2017091296.tif 000006
【図５】
2017091296.tif 000007
【図６】
2017091296.tif 000008
【図７】
2017091296.tif 000009